(57)【要約】【課題】  人体の背中や腰又は腿や臀部等のツボを半球状突起により集中して指圧し、又は球状ローラーにより集中してマッサージすることができるベンチを提供する。【解決手段】  脚１，３により一定の高さに配置した背もたれ部１５と座部１０を有するベンチであって、上記背もたれ部１５は湾曲状に膨らんで形成され、その表面に複数個の半球状突起２２又は球状ローラー２５を設けたものである。また、背もたれ部と座部の両方に半球状突起２２又は球状ローラー２５を設けたり、ベンチの一端側と他端側で異なる半球状突起２２又は球状ローラー２５を設けたり、ベンチの一端側と他端側で背もたれ部と座部とに異なる種類の半球状突起２２又は球状ローラー２５を設けたりすることで、指圧とマッサージ効果とを発揮するものである。【選択図】図１
0003119624.tif 000002
【実用新案登録請求の範囲】
【請求項１】
一定の高さにほぼ水平に配置された座部と、上記座部に隣接して配置され側面形状が半円弧状に形成された背もたれ部とからなるベンチにおいて、上記背もたれ部の表面に半球状突起を設けたことを特徴とするベンチ。
【請求項２】
一定の高さにほぼ水平に配置された座部と、上記座部に隣接して配置され側面形状が半円弧状に形成された背もたれ部とからなるベンチにおいて、上記背もたれ部の表面に回転可能な球状ローラーを設けたことを特徴とするベンチ。
【請求項３】
一定の高さにほぼ水平に配置された座部と、上記座部に隣接して配置され側面形状が半円弧状に形成された背もたれ部とからなるベンチにおいて、上記背もたれ部の表面に半球状突起を設け、座部の表面に半球状突起を設けたことを特徴とするベンチ。
【請求項４】
一定の高さにほぼ水平に配置された座部と、上記座部に隣接して配置され側面形状が半円弧状に形成された背もたれ部とからなるベンチにおいて、上記背もたれ部の表面に回転可能な球状ローラーを設け、座部の表面に回転可能な球状ローラーを設けたことを特徴とするベンチ。
【請求項５】
一定の高さにほぼ水平に配置された座部と、上記座部に隣接して配置され側面形状が半円弧状に形成された背もたれ部とからなるベンチにおいて、上記背もたれ部の一端側の表面に半球状突起を設け、上記背もたれ部の他端側の表面に回転可能な球状ローラーを設けたことを特徴とするベンチ。
【請求項６】
一定の高さにほぼ水平に配置された座部と、上記座部に隣接して配置され側面形状が半円弧状に形成された背もたれ部とからなるベンチにおいて、上記背もたれ部及び座部の一端側の表面に半球状突起を設け、上記背もたれ部及び座部の他端側の表面に回転可能な球状ローラーを設けたことを特徴とするベンチ。
【請求項７】
一定の高さにほぼ水平に配置された座部と、上記座部に隣接して配置され側面形状が半円弧状に形成された背もたれ部とからなるベンチにおいて、一端側の背もたれ部及び座部と他端側の背もたれ部及び座部とを４分割し、それらの表面に半球状突起又は回転可能な球状ローラーを任意に組み合わせて設けたことを特徴とするベンチ。
【請求項８】
上記背もたれ部の後方に腕を伸ばして握るための支持部を設けたことを特徴とする請求項１〜請求項７のうちいずれか１項記載のベンチ。
【考案の詳細な説明】
【技術分野】
【０００１】
本考案は、屋外等に設置されたベンチに係り、特に、ベンチの背もたれ部や座部に身体のツボを指圧する半球状突起又は球状ローラーを設けたものに関する。
【背景技術】
【０００２】
従来、屋外等に設置されるベンチとしては、例えば、パイプ等で形成した左右一対の脚を設け、この脚をパイプ等の左右の連結枠で連結して一体とし、この両脚枠の上に複数の木製等の横棒を並列させて配置し、その両端を固定して座板を形成させている。そして、この両脚枠の上部後端にはパイプ等の左右の背受け枠を設け、この前部に複数の木製等の横棒を並列させて配置し、この両端を固定して後方へ半円弧状に湾曲した背受けを形成したものが提供されている。そして、座板と背受けの裏面に電動機、電磁石等を利用した振動機を固定して座板や背受けを振動させる構成とし、椅子に座る人の身体の凝りをほぐすように構成されているものがある。（例えば、特許文献１参照。）。
【０００３】
【特許文献１】登録実用新案第３０１４７９５号公報
【考案の開示】
【考案が解決しようとする課題】
【０００４】
上記従来のベンチによると次のような問題があった。まず、このものは通常のベンチの座板と背受けの裏面に電動機、電磁石等の振動機を固定して座板や背受け部を単に振動させるものであるため、人体の背中・腰・腿等のツボを集中して指圧できない。その理由は、単に人体の背中・腰及び腿等に全体的に振動を伝達しているだけで、身体のツボに対する指圧やマッサージができず、凝りをほぐす作用・効果が期待できないからである。
【０００５】
本考案はこのような点に基づいてなされたものでその目的とするところは、ベンチに座った人が人体の背中・腰及び腿等のツボを集中して指圧又はマッサージすることができるベンチを提供することにある。
【課題を解決するための手段】
【０００６】
上記目的を達成するべく本願考案によるベンチは、一定の高さにほぼ水平に配置された座部と、上記座部に隣接して配置され側面形状が半円弧状に形成された背もたれ部とからなるベンチにおいて、上記背もたれ部の表面に半球状突起を設けたことを特徴とするものである。このベンチに腰を下ろして背中を背もたれ部に押し付けることにより、体重をかけて背中伸ばしを行いながら、半球状突起で背中のツボが刺激される。
【０００７】
また、本願考案によるベンチは、上記ベンチにおいて、上記背もたれ部の表面に回転可能な球状ローラーを設けたことを特徴とするものである。このベンチに腰を下ろして背中を背もたれ部に押し付けることにより、体重をかけて背中伸ばしを行いながら回転可能な球状ローラーで背中の広い範囲のツボを刺激する。
【０００８】
また、上記第１のベンチにおいて、上記座部の表面にも半球状突起を設けたものとすることが考えられる。この場合には、座部に座って体重をかけることにより、半球状突起で腿部のツボを刺激する。
【０００９】
また、上記第２のベンチにおいて、上記座部の表面にも回転可能な球状ローラーを設けたものとすることが考えられる。この場合には、座部に座って体重をかけローラー押さえ部に擦り付けることで腿部の広範囲のツボを刺激する。
【００１０】
また、本願考案によるベンチは、背もたれ部及び座部の一端側の表面に半球状突起を設け、上記背もたれ部及び座部の他端側の表面に回転可能な球状ローラーを設けたものとすることが考えられる。この場合には、背伸ばしを行いながら背中のツボを半球状突起により刺激したり、背中を回転可能な球状ローラーに擦り付けることで背中の広い範囲のツボを刺激したりと、指圧とマッサージの両方を施す。
【００１１】
また、本願考案によるベンチは、一端側の背もたれ部及び座部と他端側の背もたれ部及び座部とを４分割し、それらの表面に半球状突起又は回転可能な球状ローラーを組み合わせて設けたものとすることが考えられる。この場合には、背伸ばしを行いながら背中のツボを半球状突起により刺激しながら、腿を回転可能な球状ローラーに擦り付けることで広い範囲のツボを刺激したり、又はこの逆の操作をすることで、複合的な指圧及びマッサージを施す。
【００１２】
また、上記各ベンチにおいて、背もたれ部の後方に腕を伸ばして握ることができる支持部を設けたものとすることが考えられる。この場合には、支持部を手で握って背中の位置を動かすことにより背中のツボを容易且つ的確に半球状突起に押さえ付けたり、又は、回転可能な球状ローラーに擦り付けたりする。
【考案の効果】
【００１３】
本考案のベンチによると、次のような効果を奏することかできる。まず、背もたれ部は湾曲状に膨らんで形成され、背もたれ部又は座部に半球状突起又は回転可能な球状ローラーを設けたから、人体の背中や腰及び腿や臀部等のツボを刺激して指圧を施し、又は、擦り付けにより広範囲に刺激しマッサージを施すことができる。また、背もたれ部又は座部の一方側と他方側に半球状突起又は回転可能な球状ローラーを設けることにより、指圧とマッサージの両方の刺激を与えることができる。また、上記背もたれ部と座部を４分割し、これに半球状突起又は回転可能な球状ローラーを任意に組み合わせることで、使用者の希望に応じて人体の各部位に対して指圧やマッサージ等の異なる効果が発揮できる。
【００１４】
また、背もたれ部に腕を伸ばして握ることができる支持部を備えることで、支持部を手で握って背中の位置を動かすことが容易となり、効果的に背中をツボ押さえ部に押さえ付けたり、ローラー押さえ部に擦り付けたりすることができる。
【考案を実施するための最良の形態】
【００１５】
以下、図１乃至図４を参照して本考案の第１の実施の形態を説明する。図１は本実施の形態のベンチを示す斜視図、図２は正面図、図３は側面図、図４は使用状態を示す側面図である。このベンチ１００は、背もたれ部の表面に、複数個の半球状突起を設けたものである。まず、地中の基礎コンクリートＣから立ち上げられた左右一対の脚１，３があり、これを連結枠５，６，７で連結して一体とし、この両脚１，３間に複数の横板９を並列させその両端を固定して座部１０が形成されている。また、上記両脚１，３における半円弧状パイプ３Ａ，３Ｂ間に横板１３を並列させその両端を固定して背もたれ部１５が形成されている。この背もたれ部１５は側面形状が半円弧状に形成されている。
【００１６】
上記背もたれ部１５を構成する横板１３の表面には、複数個（６個）の半球状突起２２が２列に並べて設けられ、これをベンチの両側２箇所に設けている。図３に示すように、上記半球状突起２２は横板１３の表面に軸部２２Ａで埋め込まれ接着剤で接着して取り付けられている。また、上記背もたれ部１５の後方であって脚１，３の頂部間には、腕を伸ばして握ることができる支持部１７を設けている。
【００１７】
以上の構成を基にその作用を説明する。図４に示すように、人がベンチ１００に腰を掛け、人体Ｍの上体を後ろに反らして半円弧状の背もたれ部１５に体重をかけて背伸ばしをするように使用する。これにより、背もたれ部１５に設けた半球状突起２２により背中Ｍ１や腰Ｍ２のツボを刺激する。また、頭の後方に伸ばした両手で支持部１７を手で握って背中や腰の位置を動かすことにより背中や腰のツボを的確に半球状突起２２に押さえ付けられる。
【００１８】
上記本実施の形態によると次のような効果を奏する。まず、背もたれ部１５の半球状突起２２が人体Ｍの体重を受け背中Ｍ１や腰Ｍ２等のツボを刺激して指圧を施すことができ、この部分の凝りを効率良くほぐすことができる。そして、背もたれ部１５は湾曲状に膨らんで形成されているから、背伸ばしをしながら背中や腰のツボの指圧力が体重をかけることにより増大される効果がある。
【００１９】
次に、図５乃至図８を参照して本考案の第２の実施の形態を説明する。このベンチ２００は、第１の実施の形態と同様の構成を有するものであり、背もたれ部１５の表面に半球状突起に代えて球状ローラー２５を設けたものである。具体的には、図７に示すように、軸部２５Ａに複数個の球状ローラー２５を回転可能にはめ込み、軸部２５Ａの両端を両側の枠体２６にあけた孔２６Ａに嵌めこんで保持する。そして、このものを背もたれ部１５の表面に沿って複数列連続して配置したものをベンチの両側２箇所に設けている。尚、その他の構成は、上記第１の実施の形態の場合と同じであるので、同一部分には同一符号を付して示し、その説明は省略する。
【００２０】
以上の構成を基にその作用を説明する。図８に示すように、人がベンチ２００に腰を掛け、人体の上体を後ろに反らして半円弧状の背もたれ部１５に体重をかけて背伸ばしをするように使用する。そして、背もたれ部１５の球状ローラー２５に背中Ｍ１や腰Ｍ２を擦り付けながら滑らせることで背中Ｍ１や腰Ｍ２等の広範囲のツボに対して集中してマッサージを行う。背もたれ部１５が湾曲状に膨らんで形成されているから、人体Ｍの上体部を後ろに反らして背伸びすることで、上体部の重みで背中のツボの指圧効果が増大される。また、頭の後方に伸ばした両手で支持部１７を握ることで体の所望の位置を的確にマッサージする。
【００２１】
以上本実施の形態によると次のような効果を奏する。まず、背もたれ部１５の球状ローラー２５が人体Ｍの体重を受け背中Ｍ１や腰Ｍ２等の身体全体のツボに対して集中してマッサージでき、この部分の凝りを効率良くほぐすことができる。そして、背もたれ部１５を湾曲状に膨らんだ構成としたから、背伸ばしをしながら背中や腰のツボのマッサージ力が体重をかけることにより増大される。
【００２２】
次に、図９乃至図１２を参照して本考案の第３の実施の形態を説明する。このベンチ３００は、第１の実施の形態と同様の構成を有するものであり、背もたれ部１５とともに座部１０にも半球状突起２２を設けたものである。すなわち、上記座部１０を構成する横板９の表面には、複数個（４個）の半球状突起２０が２列に並べて凸設され、また、背もたれ部１５を構成する横板１３の表面にも複数個の半球状突起２２が２列に並べて凸設されていて、これらがベンチの両側に２箇所設けられている。図９に示すように、半球状突起２０，２２は、横板９，１３の表面に接着剤で固定されている。また、上記背もたれ部１５の後部に腕を伸ばして握ることができる支持部１７を備えている。その他の構成は、上記第１の実施の形態の場合と同じであるので、同一部分には同一符号を付して示し、その説明は省略する。
【００２３】
以上の構成を基にその作用を説明する。図１２に示すように、ベンチ３００に腰を掛けると、座部１０や背もたれ部１５に設けた半球状突起２０，２２が人体Ｍの体重を受けて背中Ｍ１や腰Ｍ２および腿Ｍ３、臀部Ｍ４等の身体全体のツボに対して集中して指圧効果を発揮できるから、これらの部分の凝りが効率良くほぐされる。更に、背もたれ部１５が湾曲状に膨らんで形成されているから、人体Ｍの上体部を後ろに反らして背伸びすることで、上体部の重みで背中のツボの指圧効果が増大される。また、また、頭の後方に伸ばした両手で支持部１７を手で握って背中や腰の位置を動かすことにより背中や腰のツボを的確に半球状突起２２に押さえ付けられる。
【００２４】
上記本実施の形態によると次のような効果を奏する。まず、座部１０や背もたれ部１５の半球状突起２０，２２が人体Ｍの体重を受け背中Ｍ１や腰Ｍ２および腿Ｍ３、臀部Ｍ４等の身体全体のツボに対して集中して指圧でき、この部分の凝りが効率良くほぐすことがてきる。そして、背もたれ部１５が湾曲状に膨らんで形成されているから、背中のツボの指圧効果が増大される。
【００２５】
次に、図１３乃至図１６を参照して本考案の第４の実施の形態を説明する。このベンチ４００は、上記第２の実施の形態と同様の構成を有するものであり、背もたれ部１５とともに座部１０にも球状ローラー２５を設けたものである。すなわち、具体的には、図７に示すように、軸部２５Ａに複数個の球状ローラー２５を回転可能にはめ込み、軸部２５Ａの両端を両側の枠体２６にあけた孔２６Ａに嵌めこんで保持する。そして、このものを背もたれ部１５の表面に沿って複数列連続して配置し、これがベンチの両側２箇所に設けられている。その他の構成は、上記第２の実施の形態の場合と同じであるので、同一部分には同一符号を付して示し、その説明は省略する。
【００２６】
以上の構成を基にその作用を説明する。図１６に示すように、人がベンチ４００に腰を掛け、人体の上体を後ろに反らして半円弧状の背もたれ部１５に体重をかけて背伸ばしをするように使用する。そして、背もたれ部１５の球状ローラー２５に背中Ｍ１や腰Ｍ２を擦り付けながら滑らせることで背中Ｍ１や腰Ｍ２等の広範囲のツボに対して集中してマッサージを行うとともに、座部１０の球状ローラー２５に腿Ｍ３・臀部Ｍ４を擦り付けながら滑らせることで腿Ｍ３・臀部Ｍ４等の広範囲のツボに対して集中してマッサージを行う。背もたれ部１５が湾曲状に膨らんで形成されているから、人体Ｍの上体部を後ろに反らして背伸びすることで、上体部の重みで背中のツボの指圧効果が増大される。また、頭の後方に伸ばした両手で支持部１７を握ることで体の所望の位置を的確にマッサージする。
【００２７】
上記第４の実施の形態によると次のような効果を奏する。まず、座部１０や背もたれ部１５の球状ローラー２５が人体Ｍの体重を受け背中Ｍ１や腰Ｍ２・お尻Ｍ３、腿及び太腿Ｍ４等の身体全体のツボに対して集中してマッサージでき、これらの部分の凝りを効率良くほぐすことができる。
【００２８】
次に、図１７を参照して本考案の第５の実施の形態を説明する。このベンチ５００は、一端側の背もたれ部１５及び座部１０と他端側の背もたれ部１５及び座部１０を中央部分Ｂで２分割されている。勿論、この中央部分Ｂを設けなくても良い。上記一端側の背もたれ部１５及び座部１０に半球状突起２０，２２を配置し、また、他端側の背もたれ部１５及び座部１０に球状ローラー２５を配置したものである。その他の構成は上記第１の実施の形態及び上記第２の実施の形態の場合と同じであるので、同一部分には同一符号を付して示し、その説明は省略する。
【００２９】
以上の構成を基にその作用を説明する。ベンチ５００の一方側に腰を掛けると、座部１０や背もたれ部１５に設けた半球状突起２０，２２が人体Ｍの体重を受けて背中Ｍ１や腰Ｍ２および腿Ｍ３、臀部Ｍ４等の身体全体のツボに対して集中して指圧効果を発揮し、他方側に腰を掛けると、背もたれ部１５の球状ローラー２５に背中Ｍ１や腰Ｍ２を擦り付けながら滑らせることで背中Ｍ１や腰Ｍ２等の広範囲のツボに対して集中してマッサージを行うとともに、座部１０の球状ローラー２５に腿Ｍ３・臀部Ｍ４を擦り付けながら滑らせることで腿Ｍ３・臀部Ｍ４等の広範囲のツボに対して集中してマッサージを行える。また、背もたれ部１５が湾曲状に膨らんで形成されているから、人体Ｍの上体部を後ろに反らして背伸びすることで、上体部の重みで背中のツボの指圧やマッサージ効果が増大される。また、頭の後方に伸ばした両手で支持部１７を握ることで体の所望の位置を的確に指圧又はマッサージする。
【００３０】
以上本実施の形態によると次のような効果を奏する。まず、一つのベンチ５００で、半球状突起２０，２２を配置した側に座れば、半球状突起により背中、腰、腿、臀部等のツボが指圧でき、また、ベンチの球状ローラー２５を配置した側に座れば、球状ローラー２５により背中、腰、腿、臀部等のツボを広範囲にマッサージできる。よって、一つのベンチ５００で、指圧とマッサージの両方の刺激を与えることができる。
【００３１】
次に、図１８を参照して本考案の第６の実施の形態を説明する。このベンチ６００は、一端側の背もたれ部１５及び座部１０と他端側の背もたれ部１５及び座部１０を中央部分Ｂで４分割したものである。勿論、この中央部分Ｂを設けなくても良い。上記一端側の座部１０及び背もたれ部１５において、背もたれ部１５に半球状突起２０を、また、座部１０に球状ローラー２５を配置し、上記他端側の座部１０及び背もたれ部１５において、背もたれ部１５に球状ローラー２５を、また、座部１０に半球状突起２２を配置したものである。その他の構成は上記第１の実施の形態及び上記第２の実施の形態の場合と同じであるので、同一部分には同一符号を付して示しその説明は省略する。
【００３２】
以上の構成を基にその作用を説明する。ベンチ６００の一方側に腰を掛けると、背もたれ部１５に設けた半球状突起２０，２２が人体Ｍの体重を受けて背中Ｍ１や腰Ｍ２のツボに対して集中して指圧効果を発揮するとともに、座部１０に設けた球状ローラー２５に腿Ｍ３・臀部Ｍ４を擦り付けながら滑らせることで腿Ｍ３・臀部Ｍ４等の広範囲のツボに対して集中してマッサージを行える。また、他方側に腰を掛けると、背もたれ部１５の球状ローラー２５に背中Ｍ１や腰Ｍ２を擦り付けながら滑らせることで背中Ｍ１や腰Ｍ２等の広範囲のツボに対して集中してマッサージを行うとともに、座部１０の半球状突起２０，２２が人体Ｍの体重を受けて腿Ｍ３・臀部Ｍ４のツボに対して集中して指圧効果を発揮する。また、背もたれ部１５が湾曲状に膨らんで形成されているから、人体Ｍの上体部を後ろに反らして背伸びすることで、上体部の重みで背中のツボの指圧やマッサージ効果が増大される。また、頭の後方に伸ばした両手で支持部１７を握ることで体の所望の位置を的確に指圧又はマッサージする。
【００３３】
以上本実施の形態によると次のような効果を奏する。まず、一つのベンチ６００で、半球状突起により背中、腰、又は腿、臀部等のツボを指圧しながら、球状ローラー２５により腿、臀部又は背中、腰等のツボを広範囲にマッサージできる。よって、一つのベンチ６００で、身体の各部位に合わせて指圧とマッサージの両方の刺激を同時に与えることができる。
【００３４】
次に、図１９乃至図２２を参照して本考案の第７の実施の形態を説明する。この実施の形態の場合には、背もたれ部の表面に複数個の半球状突起を設けた第１の実施の形態の構成をより簡略な構成により実現したものである。まず、地中の基礎コンクリートから立ち上げられ手摺りを兼用とした左右一対のＵ字状部に横パイプ及び半円弧状パイプ３Ａ，３Ｂを組み合わせた脚１，３があり、これを連結枠５，６，７で連結して一体とし、この両１，３間に複数の横板９を並列させその両端を固定して座部１０が形成されている。また、上記両Ｕ字状脚１，３における半円弧状パイプ３Ａ，３Ｂ間に横板１３を並列させその両端を固定して背もたれ部１５が形成されている。この背もたれ部１５は側面形状が半円弧状に形成されている。
【００３５】
上記背もたれ部１５を構成する横板１３の表面には、複数個（４個）の半球状突起２２が２列に並べて設けられ、これをベンチの両側２箇所に設けている。上記半球状突起２２は横板１３の表面に軸部２２Ａで埋め込まれ接着剤で接着して取り付けられている。また、上記背もたれ部１５の後方であって連結枠７には、腕を伸ばして握ることができる門型状パイプで構成された支持部１７を設けている。
【００３６】
この実施の形態の場合は、人がベンチに腰を掛け、人体の上体を後ろに反らして半円弧状の背もたれ部１５に体重をかけて背伸ばしをするように使用する。これにより、背もたれ部１５に設けた半球状突起２２により背中や腰のツボを刺激する。また、頭の後方に伸ばした両手で支持部１７を手で握って背中や腰の位置を動かすことにより背中や腰のツボを的確に半球状突起２２に押さえ付けられる。
【００３７】
このような構成とすることにより、比較的構成が簡単であって低コストで製造することができ、しかも、背もたれ部１５の半球状突起２２が人体の体重を受け背中や腰等のツボを刺激して指圧を施すことができ、この部分の凝りを効率良くほぐすことができる。そして、背もたれ部１５は湾曲状に膨らんで形成されているから、背伸ばしをしながら背中や腰のツボの指圧力が体重をかけることにより増大される効果がある。
【００３８】
次に、図２３乃至図２６を参照して本考案の第８の実施の形態を説明する。この実施の形態の場合には、背もたれ部の表面に球状ローラー２５を設けた第２の実施の形態の構成をより簡略な構成により実現したものである。具体的には、軸部に複数個の球状ローラー２５を回転可能にはめ込み、軸部の両端を両側の枠体２６にあけた孔２６Ａに嵌めこんで保持する。この複数個の球状ローラー２５を背もたれ部１５の表面に沿って中抜きにして複数段（４段）形成している。そして、このものをベンチの両側２箇所に設けている。尚、その他の構成は、上記第７の実施の形態の場合と同じであるので、同一部分には同一符号を付して示し、その説明は省略する。
【００３９】
この実施の形態の場合は、人がベンチに腰を掛け、人体の上体を後ろに反らして半円弧状の背もたれ部１５に体重をかけて背伸ばしをするように使用する。そして、背もたれ部１５の球状ローラー２５に背中や腰を擦り付けながら滑らせることで背中や腰等の広範囲のツボに対して集中してマッサージを行う。背もたれ部１５が湾曲状に膨らんで形成され、複数個の球状ローラー２５を背もたれ部１５の表面に沿って中抜きにして複数段（４段）形成されているから、人体Ｍの上体部を後ろに反らして背伸びすることで、上体部の重みで背中のツボを部分的に指圧し、より指圧効果が増大される。また、頭の後方に伸ばした両手で支持部１７を握ることで体の所望の位置を的確にマッサージされる。
【００４０】
このような構成とすることにより、比較的構成が簡単であって低コストで製造することができ、しかも、背もたれ部１５の球状ローラー２５が中抜きにして複数段（４段）形成されているから、人体の体重を受け背中や腰等の身体全体のツボに対して部分的に集中してマッサージでき、この部分の凝りを効率良くほぐすことができる。そして、背もたれ部１５は湾曲状に膨らんで形成されているから、背伸ばしをしながら背中や腰のツボの指圧力が体重をかけることにより増大される効果がある。
【００４１】
次に、図２７乃至図３０を参照して本考案の第９の実施の形態を説明する。この実施の形態の場合には、背もたれ部１５とともに座部１０にも半球状突起２２を設けたものである。すなわち、座部１０を構成する横板９の表面には、複数個（３個）の半球状突起２０がハ字状に２列に並べて凸設され、また、背もたれ部１５を構成する横板１３の表面にも複数個（４個）の半球状突起２２が２列に並べて凸設されていて、これらがベンチの両側に２箇所設けられている。半球状突起２０，２２は、横板９，１３の表面に接着剤で固定されている。また、上記背もたれ部１５の後部に腕を伸ばして握ることができる支持部１７を備えている。その他の構成は、上記第７の実施の形態の場合と同じであるので、同一部分には同一符号を付して示し、その説明は省略する。
【００４２】
この実施の形態の場合は、ベンチに腰を掛けると、座部１０や背もたれ部１５に設けた半球状突起２０，２２が人体の体重を受けて背中や腰および腿、臀部等の身体全体のツボに対して集中して指圧効果を発揮するから、これらの部分の凝りが効率良くほぐされる。特に、座部１０を構成する横板９の表面には、複数個（３個）の半球状突起２０がハ字状に２列に並べて凸設されているので、使用者の座った腿の位置に半球状突起２０の位置を合わせられるようになっている。更に、背もたれ部１５が湾曲状に膨らんで形成されているから、人体の上体部を後ろに反らして背伸びすることで、上体部の重みで背中のツボの指圧効果が増大される。また、また、頭の後方に伸ばした両手で支持部１７を手で握って背中や腰の位置を動かすことにより背中や腰のツボを的確に半球状突起２２に押さえ付けられる。
【００４３】
このような構成とすることにより、比較的構成が簡単であって低コストで製造することができ、しかも、座部１０や背もたれ部１５の半球状突起２０，２２が人体の体重を受け背中や腰および腿、臀部等の身体全体のツボに対して集中して指圧でき、この部分の凝りを効率良くほぐすことができる。しかも、座部１０を構成する横板９の表面には、複数個（３個）の半球状突起２０がハ字状に２列に並べて凸設されているので、使用者の座った腿の位置に半球状突起２０の位置を合わせられ、より効果的な指圧効果が発揮できる。そして、背もたれ部１５が湾曲状に膨らんで形成されているから、背伸ばしをしながら背中や腰のツボの指圧力が体重をかけることにより増大される効果がある。
【００４４】
次に、図３１乃至図３４を参照して本考案の第１０の実施の形態を説明する。この実施の形態の場合には、背もたれ部１５とともに座部１０にも球状ローラー２５を設けたものである。すなわち、軸部に複数個の球状ローラー２５を回転可能にはめ込み、軸部の両端を両側の枠体にあけた孔に嵌めこんで保持する。この複数個の球状ローラー２５を背もたれ部１５の表面に沿って中抜きにして複数段（４段）形成している。また、この複数個の球状ローラー２５を座部１０の表面に沿って中抜きにして複数列（２列）形成している。そして、このものをベンチの両側２箇所に設けている。その他の構成は、上記第８の実施の形態の場合と同じであるので、同一部分には同一符号を付して示し、その説明は省略する。
【００４５】
この実施の形態の場合は、人がベンチに腰を掛け、人体の上体を後ろに反らして半円弧状の背もたれ部１５に体重をかけて背伸ばしをするように使用する。そして、背もたれ部１５の球状ローラー２５に背中や腰を擦り付けながら滑らせることで背中や腰等の広範囲のツボに対して集中してマッサージを行うとともに、座部１０の球状ローラー２５に腿・臀部を擦り付けながら滑らせることで腿・臀部等の広範囲のツボに対して集中してマッサージを行う。複数個の球状ローラー２５を背もたれ部１５の表面に沿って中抜きにして複数段（４段）形成されているから、人体Ｍの上体部を後ろに反らして背伸びすることで、上体部の重みで背中のツボを部分的に指圧し、より指圧効果が増大される。また、複数個の球状ローラー２５を座部１０の表面に沿って中抜きにして複数列（２列）形成しているから、上体部の重みで腿・臀部のツボを部分的に指圧し、より指圧効果が増大される。また、頭の後方に伸ばした両手で支持部１７を握ることで体の所望の位置を的確にマッサージする。
【００４６】
このような構成とすることにより、比較的構成が簡単であって低コストで製造することができ、しかも、座部１０や背もたれ部１５の球状ローラー２５が人体の体重を受け背中や腰等及び腿及び臀部等の身体全体のツボに対して集中してマッサージでき、これらの部分の凝りを効率良くほぐすことができる。
【００４７】
また、図３５を参照して本考案の第１１の実施の形態を説明する。この実施の形態の場合には、一端側の背もたれ部１５及び座部１０と他端側の背もたれ部１５及び座部１０を中央部で２分割されている。上記一端側の背もたれ部１５及び座部１０に半球状突起２０，２２を配置し、また、他端側の背もたれ部１５及び座部１０に球状ローラー２５を配置したものである。その他の構成は上記第７の実施の形態及び上記第８の実施の形態の場合と同じであるので、同一部分には同一符号を付して示し、その説明は省略する。
【００４８】
この実施の形態の場合には、ベンチの一方側に腰を掛けると、座部１０や背もたれ部１５に設けた半球状突起２０，２２が人体の体重を受けて背中や腰および腿、臀部等の身体全体のツボに対して集中して指圧効果を発揮し、他方側に腰を掛けると、背もたれ部１５の球状ローラー２５に背中や腰を擦り付けながら滑らせることで背中や腰等の広範囲のツボに対して集中してマッサージを行うとともに、座部１０の球状ローラー２５に腿・臀部を擦り付けながら滑らせることで腿・臀部等の広範囲のツボに対して集中してマッサージを行える。また、背もたれ部１５が湾曲状に膨らんで形成されているから、人体の上体部を後ろに反らして背伸びすることで、上体部の重みで背中のツボの指圧やマッサージ効果が増大される。また、頭の後方に伸ばした両手で支持部１７を握ることで体の所望の位置を的確に指圧又はマッサージする。
【００４９】
このような構成とすることにより、一つのベンチで、半球状突起２０，２２を配置した側に座れば、半球状突起により背中、腰、腿、臀部等のツボが指圧でき、また、ベンチの球状ローラー２５を配置した側に座れば、球状ローラー２５により背中、腰、腿、臀部等のツボを広範囲にマッサージできる。よって、一つのベンチで、指圧とマッサージの両方の刺激を与えることができる。
【００５０】
また、図３６を参照して本考案の第１２の実施の形態を説明する。この実施の形態の場合には、一端側の背もたれ部１５及び座部１０と他端側の背もたれ部１５及び座部１０を中央部で４分割されている。上記一端側の座部１０及び背もたれ部１５において、背もたれ部１５に半球状突起２０を、また、座部１０に球状ローラー２５を配置し、上記他端側の座部１０及び背もたれ部１５において、背もたれ部１５に球状ローラー２５を、また、座部１０に半球状突起２２を配置したものである。その他の構成は上記第７の実施の形態及び上記第８の実施の形態の場合と同じであるので、同一部分には同一符号を付して示しその説明は省略する。
【００５１】
この実施の形態の場合は、ベンチの一方側に腰を掛けると、背もたれ部１５に設けた半球状突起２０，２２が人体の体重を受けて背中や腰のツボに対して集中して指圧効果を発揮するとともに、座部１０に設けた球状ローラー２５に腿・臀部を擦り付けながら滑らせることで腿・臀部等の広範囲のツボに対して集中してマッサージを行える。また、他方側に腰を掛けると、背もたれ部１５の球状ローラー２５に背中や腰を擦り付けながら滑らせることで背中や腰等の広範囲のツボに対して集中してマッサージを行うとともに、座部１０の半球状突起２０，２２が人体の体重を受けて腿・臀部のツボに対して集中して指圧効果を発揮する。また、背もたれ部１５が湾曲状に膨らんで形成されているから、人体の上体部を後ろに反らして背伸びすることで、上体部の重みで背中のツボの指圧やマッサージ効果が増大される。また、頭の後方に伸ばした両手で支持部１７を握ることで体の所望の位置を的確に指圧又はマッサージする。
【００５２】
このような構成とすることにより、一つのベンチで、半球状突起により背中、腰、又は腿、臀部等のツボを指圧しながら、球状ローラー２５により腿、臀部又は背中、腰等のツボを広範囲にマッサージできる。よって、一つのベンチで、身体の各部位に合わせて指圧とマッサージの両方の刺激を同時に与えることができる。
【００５３】
尚、本考案は前記第１〜第１２の実施の形態に限定されるものではない。例えば、半球状突起２２の配置例としては半球状突起２２を６個又は４個を２列に並べて設けた構成としたが、何列にするか、又は何個にするか、又はどのように配置するか又はその大きさは任意であり、例えば１列又は３列としても良いし、１個乃至多数個としても良いし、複数個をランダムに配置しても良い。また、その取付手段も軸部の差し込み接着や接着に限らず、ねじ込み式や一体形成としてもよい。また、球状ローラー２５についても、何列にするか、又は何個にするか、又はどのように配置するか又はその大きさは任意であり、また、その構成も、軸部に球状ローラーをはめ込んで軸設する方法に限らず、例えば、球状ローラーを凹部に嵌合して回転可能に支持したものを複数個背もたれ部１５の横板９，１３に固着し、任意の方向に球状ローラーが回転できるようにしてもよい。また、上記第１〜第６の実施の形態で示した複数の横板９，１３に半球状突起２０，２２や球状ローラー２５を備えた構成に限定されず、一枚構成の横板とし、これに半球状突起２０，２２や球状ローラー２５を備えた構成としても良い。
【産業上の利用可能性】
【００５４】
本考案は、屋外用のベンチを例に挙げて説明したが、それに限定されるものではなく、トレーニングジム等の屋内施設に設置するなど種々のタイプのベンチにも適用可能である。
【図面の簡単な説明】
【００５５】
【図１】本考案の第１の実施の形態を示し、ベンチの斜視図である。
【図２】本考案の第１の実施の形態を示し、ベンチの正面図である。
【図３】本考案の第１の実施の形態を示し、ベンチの側面図である。
【図４】本考案の第１の実施の形態を示し、ベンチの作用図である。
【図５】本考案の第２の実施の形態を示し、ベンチの斜視図である。
【図６】本考案の第２の実施の形態を示し、ベンチの正面図である。
【図７】本考案の第２の実施の形態を示し、ベンチの側面図である。
【図８】本考案の第２の実施の形態を示し、ベンチの作用図である。
【図９】本考案の第３の実施の形態を示し、ベンチの斜視図である。
【図１０】本考案の第３の実施の形態を示し、ベンチの正面図である。
【図１１】本考案の第３の実施の形態を示し、ベンチの側面図である。
【図１２】本考案の第３の実施の形態を示し、ベンチの作用図である。
【図１３】本考案の第４の実施の形態を示し、ベンチの斜視図である。
【図１４】本考案の第４の実施の形態を示し、ベンチの正面図である。
【図１５】本考案の第４の実施の形態を示し、ベンチの側面図である。
【図１６】本考案の第４の実施の形態を示し、ベンチの作用図である。
【図１７】本考案の第５の実施の形態を示し、ベンチの斜視図である。
【図１８】本考案の第６の実施の形態を示し、ベンチの斜視図である。
【図１９】本考案の第７の実施の形態を示し、ベンチの斜視図である。
【図２０】本考案の第７の実施の形態を示し、ベンチの正面図である。
【図２１】本考案の第７の実施の形態を示し、ベンチの側面図である。
【図２２】本考案の第７の実施の形態を示し、ベンチの平面図である。
【図２３】本考案の第８の実施の形態を示し、ベンチの斜視図である。
【図２４】本考案の第８の実施の形態を示し、ベンチの正面図である。
【図２５】本考案の第８の実施の形態を示し、ベンチの側面図である。
【図２６】本考案の第８の実施の形態を示し、ベンチの平面図である。
【図２７】本考案の第９の実施の形態を示し、ベンチの斜視図である。
【図２８】本考案の第９の実施の形態を示し、ベンチの正面図である。
【図２９】本考案の第９の実施の形態を示し、ベンチの側面図である。
【図３０】本考案の第９の実施の形態を示し、ベンチの平面図である。
【図３１】本考案の第１０の実施の形態を示し、ベンチの斜視図である。
【図３２】本考案の第１０の実施の形態を示し、ベンチの正面図である。
【図３３】本考案の第１０の実施の形態を示し、ベンチの側面図である。
【図３４】本考案の第１０の実施の形態を示し、ベンチの平面図である。
【図３５】本考案の第１１の実施の形態を示し、ベンチの斜視図である。
【図３６】本考案の第１２の実施の形態を示し、ベンチの斜視図である。
【符号の説明】
【００５６】
１，３          脚
３Ａ，３Ｂ      上方部
５，６，７      連結枠
９，１３        横板
９Ａ，１３Ａ    孔
１０            座部
１５            背もたれ部
１７            支持部
２０，２２      半球状突起
２０Ａ，２２Ａ  軸部
２５            球状ローラー
２５Ａ          軸受体
２５Ｂ          軸部
１００          ベンチ
２００          ベンチ
３００          ベンチ
４００          ベンチ
５００          ベンチ
６００          ベンチ
Ｂ              中央部分
Ｃ              基礎コンクリート
Ｍ              人体
Ｍ１            背中
Ｍ２            腰
Ｍ３            腿
Ｍ４            臀部
【図１】
0003119624.tif 000003
【図２】
0003119624.tif 000004
【図３】
0003119624.tif 000005
【図４】
0003119624.tif 000006
【図５】
0003119624.tif 000007
【図６】
0003119624.tif 000008
【図７】
0003119624.tif 000009
【図８】
0003119624.tif 000010
【図９】
0003119624.tif 000011
【図１０】
0003119624.tif 000012
【図１１】
0003119624.tif 000013
【図１２】
0003119624.tif 000014
【図１３】
0003119624.tif 000015
【図１４】
0003119624.tif 000016
【図１５】
0003119624.tif 000017
【図１６】
0003119624.tif 000018
【図１７】
0003119624.tif 000019
【図１８】
0003119624.tif 000020
【図１９】
0003119624.tif 000021
【図２０】
0003119624.tif 000022
【図２１】
0003119624.tif 000023
【図２２】
0003119624.tif 000024
【図２３】
0003119624.tif 000025
【図２４】
0003119624.tif 000026
【図２５】
0003119624.tif 000027
【図２６】
0003119624.tif 000028
【図２７】
0003119624.tif 000029
【図２８】
0003119624.tif 000030
【図２９】
0003119624.tif 000031
【図３０】
0003119624.tif 000032
【図３１】
0003119624.tif 000033
【図３２】
0003119624.tif 000034
【図３３】
0003119624.tif 000035
【図３４】
0003119624.tif 000036
【図３５】
0003119624.tif 000037
【図３６】
0003119624.tif 000038